(57)【要約】【課題】データ放送により受信したデータコンテンツをする場合にソフトウェア操作パネルの使用により使い勝手の低下を招かないようにする。【解決手段】モニタ２２では、データコンテンツを表示させる領域と映像を表示させる領域（テレビ画像領域）とがＢＭＬブラウザにより設定され、それぞれデータコンテンツと映像が表示される。ＣＰＵ１４は、タッチパネル２３からの入力位置を表すソフトウェア操作パネルを表示させる際に、テレビ画像領域において表示させる。【選択図】      図１
2006042062.tif 000002
【特許請求の範囲】
【請求項１】
テレビ放送とデータ放送を含むデジタル放送を受信するデジタル放送受信装置において、
前記データ放送により受信されるデータコンテンツと前記テレビ放送により受信される映像を表示するための表示手段と、
前記表示手段により前記データコンテンツを表示させる第１領域と前記映像を表示させる第２領域とを設定する表示領域設定手段と、
前記表示手段の表示面に設けられたタッチパネルと、
前記表示領域設定手段によって設定される前記第２領域に基づいて、前記タッチパネルからの入力位置を表すソフトウェア操作パネルを前記表示手段によって表示させる操作パネル表示手段と
を具備したことを特徴とするデジタル放送受信装置。
【請求項２】
前記操作パネル表示手段は、前記第２領域の大きさに合わせて前記ソフトウェア操作パネルを表示させることを特徴とする請求項１記載のデジタル放送受信装置。
【請求項３】
前記ソフトウェア操作パネルの表示位置の変更指示を入力する入力手段を有し、
前記操作パネル表示手段は、前記入力手段によって入力された変更指示に応じて、前記ソフトウェア操作パネルの表示位置を所定の条件に従って変更することを特徴とする請求項１記載のデジタル放送受信装置。
【請求項４】
前記操作パネル表示手段は、前記データコンテンツに応じて前記ソフトウェア操作パネルを変更することを特徴とする請求項１記載のデジタル放送受信装置。
【請求項５】
前記ソフトウェア操作パネルを前記表示手段により表示させる場合の最低表示サイズが設定されており、この最低表示サイズより前記第２領域のサイズが小さい場合に、前記ソフトウェア操作パネルを変更することを特徴とする請求項４記載のデジタル放送受信装置。
【請求項６】
表示装置と同表示装置の表示面に設けられたタッチパネルとを有し、テレビ放送とデータ放送を含むデジタル放送を受信するデジタル放送受信装置に搭載されるコンピュータを、
前記データ放送により受信されるデータコンテンツを表示させる第１領域と前記テレビ放送により受信される映像を表示させる第２領域とを設定する表示領域設定手段と、
前記表示領域設定手段によって設定される前記第２領域に基づいて、前記タッチパネルからの入力位置を表すソフトウェア操作パネルを前記表示装置によって表示させる操作パネル表示手段とに機能させるためのソフトウェア操作パネル設定プログラム。
【発明の詳細な説明】
【技術分野】
【０００１】
本発明は、デジタル放送を受信する車載用に好適なデジタル放送受信装置、ソフトウェア操作パネル設定プログラムに関する。
【背景技術】
【０００２】
一般に、テレビ放送とデータ放送を含むデジタル放送を受信するデジタル放送受信装置では、データ放送により受信されるＢＭＬ（broadcast markup language）により記述されたデータに応じて、データ放送により受信されるデータコンテンツを表示する領域とテレビ放送による映像（動画）を表示する領域が設定される。
【０００３】
データ放送は、通常、家庭用テレビ受像機での受信を想定しており、データコンテンツに対する操作（表示切り替え、選択など）については、リモコン装置が使用されている。
【０００４】
一方、データ放送に対する操作においてリモコン装置ではなく、タッチパネルのようなポインティングデバイスで操作をすることも考えられている（例えば特許文献１）。この場合、表示装置の表示画面にタッチパネルパネルを設け、タッチパネルからの入力位置（指示先）を表すソフトリモコン（例えばリモコン装置に設けられるカラーボタンに相当する）を表示装置に表示する。
【０００５】
特許文献１に記載されたデジタル放送受信装置では、ソフトリモコンを表示する場合、ソフトウェアリモコン機能用として割り当てる領域を、動作の解析によって割り当てられる領域（表示要素）には重ならないように割り当てることで、ソフトリモコンの入力操作とイベント要素への操作とを容易に区別できるようにしている。
【特許文献１】特開２００４−１４０８１１号公報
【発明の開示】
【発明が解決しようとする課題】
【０００６】
このように、特許文献１に記載されたデジタル放送受信装置では、表示画面上に表示されている表示要素を避けて、ソフトリモコンを表示している。
【０００７】
しかしながら、表示画面の全ての領域に表示要素がある場合、すなわちデータコンテンツを表示する領域と映像を表示する領域とにより全画面が使用されている場合には、ソフトリモコンを表示するための表示要素を避けうる領域を確保できない。
【０００８】
こうした場合、ソフトリモコン（ソフトウェア操作パネル）を表示することによりデータコンテンツが隠れてしまう場合が発生する。通常、ソフトウェア操作パネルは、データ放送により受信されるデータコンテンツに対する指示を入力する場合に使用されるため、データコンテンツが隠れてしまうと使い勝手の低下を招いてしまう。
【０００９】
本発明は、前記のような問題に鑑みなされたもので、データ放送により受信したデータコンテンツをする場合にソフトウェア操作パネルの使用により使い勝手の低下を招かないようにすることが可能なデジタル放送受信装置、ソフトウェア操作パネル設定プログラムを提供することを目的とする。
【課題を解決するための手段】
【００１０】
上記目的を達成するためにこの発明は、テレビ放送とデータ放送を含むデジタル放送を受信するデジタル放送受信装置において、前記データ放送により受信されるデータコンテンツと前記テレビ放送により受信される映像を表示するための表示手段と、前記表示手段により前記データコンテンツを表示させる第１領域と前記映像を表示させる第２領域とを設定する表示領域設定手段と、前記表示手段の表示面に設けられたタッチパネルと、前記表示領域設定手段によって設定される前記第２領域に基づいて、前記タッチパネルからの入力位置を表すソフトウェア操作パネルを前記表示手段によって表示させる操作パネル表示手段とを具備したことを特徴とする。
【発明の効果】
【００１１】
この発明によれば、タッチパネルからの入力位置を表すソフトウェア操作パネルを表示する場合に、テレビ放送により受信された映像が表示される第２領域に基づいて、例えば第２領域内に表示されるようにする。ソフトウェア操作パネルは、データ放送により受信されるデータコンテンツに対する指示を入力する場合に使用される。従って、第２領域内にソフトウェア操作パネルを表示することで、ソフトウェア操作パネルを表示することでデータコンテンツが隠れてしまうことがなくなるので使い勝手の低下を招かないですむ。
【発明を実施するための最良の形態】
【００１２】
以下、図面を参照して本発明の実施の形態について説明する。
【００１３】
図１は、本実施形態におけるデジタル放送受信装置の構成を示すブロック図である。図１に示すように本実施形態におけるデジタル放送受信装置は、テレビ放送とデータ放送を含むデジタル放送を受信する受信端末装置１０と、データ放送により受信されるデータコンテンツとテレビ放送により受信される映像を表示するための表示装置２０とから構成される。受信端末装置１０及び表示装置２０にはそれぞれインタフェース１１，２１が設けられており、互いに接続可能になっている。
【００１４】
受信端末装置１０は、アンテナ１２と、チューナ１３と、ＣＰＵ１４と、メモリ１５と、表示コントローラ１６とを備えている。図示しない放送局から放送された放送信号は、アンテナ１２を介してチューナ１３で受信されたのちＣＰＵ１４に入力され、ＶＲＡＭ１７（１７ａ）上で所定の映像信号処理が施される。ここで、得られた映像信号は、表示コントローラ１６及びインタフェース１１を介して表示装置２０に供給される。表示コントローラ１６は、映像同期信号に基づいて表示装置２０に対し偏向制御処理を行う。したがって、表示装置２０のモニタ２２には受信映像が表示される。
【００１５】
なお、ＶＲＡＭ１７ｂは、データ放送により受信されたデータコンテンツのデータが展開され、ＶＲＡＭ１７ｃは、後述するソフトウェア操作パネルを表示させる場合にソフトウェア操作パネルの表示データが展開されて、表示コントローラ１６及びインタフェース１１を介して表示装置２０に供給される。
【００１６】
一方、表示装置２０は、タッチパネル２３と、タッチパネルコントローラ２４と、ＣＰＵ２５と、メモリ２６と、表示コントローラ２７と、セレクタ２８とを備えている。このうちタッチパネル２３は、ユーザがデータ放送番組の取得指示などのデータコンテンツに対する操作入力や、受信端末装置１０及び表示装置２０に対し種々の動作指示を入力するために使用される。ここで、チャンネル指定やデータ放送番組の取得指示が入力された場合には、ユーザによりタッチされた表示位置を示す座標データがタッチパネルコントローラ２４によりメモリ２６に記録保持されるとともに、ＣＰＵ２５により座標データがインタフェース２１を介して受信端末装置１０に通知される。
【００１７】
こうしたタッチパネル２３からの入力をする場合には、受信端末装置１０のＣＰＵ１４の制御により、モニタ２２においてタッチパネル２３からの入力位置を表すソフトウェア操作パネルを表示させる。ソフトウェア操作パネルは、テレビ放送によって受信される映像（動画）を表示するために設けられる領域（テレビ画像領域）に基づいて表示される。すなわち、ソフトウェア操作パネルを表示することでデータコンテンツが隠れてしまわないように表示位置が制御される。基本的には、テレビ画像領域内にソフトウェア操作パネルを表示させることで、データコンテンツに対する入力操作ができるようにする。
【００１８】
表示コントローラ２７は、必要に応じて、セレクタ２８を切り替えてモニタ２２に、表示装置２０側の処理による表示を行わせる。
【００１９】
受信端末装置１０のＣＰＵ１４は、放送信号の受信表示動作に係わる通常の制御機能に加え、メモリ１５に記録された各種プログラムを実行することで、ソフトウェア操作パネルをテレビ画像領域に基づいて表示する制御を実行する。
【００２０】
なお、メモリ１５には、モニタ２２に表示される映像とタッチパネル２３の座標系の整合を取るための座標変換プログラムが記録されている。また、メモリ１５には、表示装置２０のモニタ２２に表示するソフトウェア操作パネルの表示データも記録されている（図８参照）。
【００２１】
図２は、受信端末装置１０のＣＰＵ１４によってメモリ１５に格納された各種プログラムを実行することにより実現される機能構成を示すブロック図である。
【００２２】
制御部３０は、マネージャープログラムによる機能であり、ＢＭＬブラウザ部３１、ソフトウェア操作パネル部３３、動画表示制御部３５など、各機能部（プログラム）の起動や、タッチパネル２３からの座標データなどの情報伝達を制御する。
【００２３】
ＢＭＬブラウザ部３１は、ＢＭＬブラウザプログラムによる機能であり、データ放送により受信されるデータコンテンツの表示やコンテンツに対する操作の制御を行う。ＢＭＬブラウザ部３１は、データ放送により受信されるＢＭＬにより記述されたデータに応じて、データ放送により受信されるデータコンテンツを表示するデータ領域とテレビ放送による映像（動画）を表示するテレビ画像領域を設定する。
【００２４】
座標情報管理部３２は、データ放送受信時のＢＭＬブラウザ部３１により設定される各領域の情報を管理し、ソフトウェア操作パネル部３３によるソフトウェア操作パネルの表示制御、及び動画表示制御部３５によるテレビ映像（動画）表示制御のために提供する。
【００２５】
ソフトウェア操作パネル部３３は、リモコン装置の代わりにタッチパネル２３からの入力操作を受け付けるために、ソフトウェア操作パネルをモニタ２２に表示させると共に、タッチパネル２３に対する操作により入力される座標データをもとにソフトウェア操作パネルに対する操作内容を取得してＢＭＬブラウザ部３１に通知する。
【００２６】
タッチパネル通信部３４は、表示装置２０のタッチパネル２３に対する操作によって入力される座標データの伝達を制御する。
【００２７】
動画表示制御部３５は、チューナ１３により受信されたテレビ放送から映像データを抽出して、ＢＭＬブラウザ部３１により設定されるテレビ画像領域に表示させる。
【００２８】
チューナ制御部３６は、チューナ１３を制御してチャンネルの選択等を行う。
【００２９】
図３は、モニタ２２においてデータ放送により受信したデータコンテンツ、テレビ放送により受信した映像、及びソフトウェア操作パネルをモニタ２２に表示するためのＶＲＡＭ１７（１７ａ，１７ｂ，１７ｃ）イメージを示している。
【００３０】
図３（１） は、データ放送とテレビ放送が受信されている表示状態を示している。データ放送により受信されるデータコンテンツは、図３（１）（ｂ）に示すように、ＢＭＬブラウザ部３１の制御により例えばＶＲＡＭ１７ｂに書き込まれて表示される（グラフィクスプレーン）。一方、チューナ１３を通じてテレビ放送により受信される映像データは、図３（１）（ｃ）に示すように、動画表示制御部３５の制御により、テレビ画像領域に収まるように例えばＶＲＡＭ１７ａに書き込まれて表示される（ビジュアルプレーン）。モニタ２２に対する表示は、図３（１）（ａ）に示すように、データコンテンツと映像が合成されて表示される。
【００３１】
図３（２） は、データ放送が受信されている場合のソフトウェア操作パネルを用いた入力操作状態を示している。データ放送により受信されるデータコンテンツは、図３（２）（ｂ）に示すように、ＢＭＬブラウザ部３１の制御により例えばＶＲＡＭ１７ｂに書き込まれて表示される（グラフィクスプレーン）。一方、ソフトウェア操作パネルのデータは、図３（２）（ｃ）に示すように、ソフトウェア操作パネル部３３の制御により例えばＶＲＡＭ１７ｃに書き込まれて表示される（ビジュアルプレーン）。モニタ２２に対する表示は、図３（２）（ａ）に示すように、データコンテンツとソフトウェア操作パネルが合成されて表示される。図３（２）に示す例では、テレビ放送による映像を表示していた領域全体に操作パネルを表示している例を示している。この場合、ソフトウェア操作パネルのデータを映像データに代えてＶＲＡＭ１７ａに書き込むようにしても良い。
【００３２】
また、ソフトウェア操作パネルを図３（２）に示すように、テレビ画像領域全体で表示するのではなく、ソフトウェア操作パネルを半透明化して表示させたり、スケーリングして表示させることもできる。この場合、ＶＲＡＭ１７ｃにソフトウェア操作パネルデータを展開して、ＶＲＡＭ１７ａ，１７ｂと合成してモニタ２２において表示させる。
【００３３】
次に、本実施形態における動作について説明する。  
まず、表示装置２０のモニタ２２とタッチパネル２３の座標系を整合させるための制御処理について、図４に示すフローチャートを参照しながら説明する。この制御処理は、ＣＰＵ１４がメモリ１５に記録された座標変換プログラムを実行することにより行われる。
【００３４】
図１に示すシステム構成の場合、表示装置２０を交換して使用することができる。従って、表示装置２０に設けられたモニタ２２のアスペクト比が４：３の場合、あるいは１６：９のワイド画面の場合などがある。
【００３５】
例えば、表示装置２０のモニタ２２がワイド画面（アスペクト比１６：９）であり、入力される映像のアスペクト比が４：３であるような場合に、全画面のフル表示ができるように表示装置２０に複数種類の表示モードが備えられている。
【００３６】
表示装置２０における表示モードの設定は、ユーザが所定の操作を行うことで行われる。受信端末装置１０は、表示装置２０から送られる表示モードデータを取得することによって、現在の表示装置２０の表示モードを知ることができる。
【００３７】
例えば、受信端末装置１０がアスペクト比４：３の映像を出力し、表示装置２０でアスペクト比１６：９のワイド画面へ変換する表示モードに設定された場合、受信端末装置１０の座標系を（Ｘ，Ｙ）、表示装置２０の座標系を（Ｘ'，Ｙ'）とすると、  
Ｘ＝（３／４）Ｘ'  
Ｙ＝Ｙ'  
という座標変換式に基づく処理により座標値を変換することができる。
【００３８】
変換処理を行う際に、受信端末装置１０のＣＰＵ１４は図４に示す制御処理を実行する。まず、ユーザの指示入力に応じて、ＣＰＵ１４は表示装置２０から表示モードデータを取得し（ステップＳ１）、この表示モードデータをメモリ１５に記録する（ステップＳ２）。
【００３９】
続いてＣＰＵ１４は、ユーザが表示装置２０のモニタ２２をタッチすることによりその座標データが到来した場合に（ステップＳ３）、メモリ１５に記録した表示モードデータと自端末の表示モードデータとを比較し（ステップＳ４）、表示モードが一致するか否かの判定を行う（ステップＳ５）。
【００４０】
ここで、表示モードが一致しない場合に（Ｎｏ）、ＣＰＵ１４は表示装置２０からの座標データを自端末の表示モード用の座標データに変換し（ステップＳ６）、この座標データに基づく指示処理を実行する（ステップＳ７）。
【００４１】
一方、ステップＳ５において、表示モードが一致した場合に（Ｙｅｓ）、ＣＰＵ１４はそのままステップＳ７の処理に移行する。
【００４２】
こうして、ＣＰＵ１４により表示装置２０の表示モードを示す表示モードデータを取得し、表示装置２０のモニタ２２の任意の表示位置にユーザがタッチした場合に、この表示位置を示す座標データを取得するようにしている。そして、到来した表示モードと自端末の表示モードとを比較し、この比較結果に基づいて表示装置２０からの座標データを自端末の座標データに変換するようにしている。
【００４３】
従って、表示モードが異なる表示装置２０に交換されて使用しても、表示装置２０のモニタ２２中のタッチされた位置の表示内容に応じて正確な処理を行うことができる。
【００４４】
次に、図５に示すフローチャートを参照しながらデータ放送表示処理について説明する。
【００４５】
まず、ＢＭＬブラウザ部３１は、データ放送のデータを取得して解析し、映像を表示するための領域を表すテレビ画像領域情報を抽出し（ステップＡ１）、この情報を座標情報管理部３２に通知する。
【００４６】
座標情報管理部３２は、ＢＭＬブラウザ部３１により抽出されたテレビ画像領域情報を管理し、ソフトウェア操作パネル部３３によるソフトウェア操作パネルの表示制御、及び動画表示制御部３５によるテレビ映像（動画）表示制御のために提供する。
【００４７】
動画表示制御部３５は、座標情報管理部３２により管理されたテレビ画像領域情報を取得して、この情報が示すテレビ画像領域に応じてテレビ放送から抽出される映像データをＶＲＡＭ１７ａに書き込んで表示させる。
【００４８】
図６には、モニタ２２において表示される画面の一例を示している。図６に示すように、ＢＭＬブラウザ部３１により、データ放送により受信されたＢＭＬにより記述されたデータが解釈されて、データ放送によって取得されるデータコンテンツが表示されるデータ領域と、テレビ映像（動画）を表示するためのテレビ画像領域が設定されている。
【００４９】
また、データ領域に表示されるコンテンツ、例えば各オブジェクト（表示枠、文字列、図形等）の属性についても、それぞれについての記述が解釈され、その記述された表示位置（座標）や色、文字フォントなどに従いＢＭＬブラウザ部３１の制御により表示される。
【００５０】
図７には、ソフトウェア操作パネル部３３によって管理されるソフトウェア操作パネルの一例を示している。
【００５１】
図７に示すソフトウェア操作パネルには、デジタル放送受信装置を遠隔制御するためのリモコン装置に通常設けられている青、赤、緑、黄のカラーボタンと、データボタンｄ、及びカーソルボタンにそれぞれ該当するボタンが設けられている。また、別のボタンへの表示切り替えを指示するため次画面ボタン、ソフトウェア操作パネルの表示位置変更を指示するための位置変更ボタンが設けられている。ソフトウェア操作パネル部３３には、複数パターンのソフトウェア操作パネルが用意されており、例えばデータ領域に表示されているデータコンテンツ、すなわちソフトウェア操作パネルを用いた入力操作の対象に応じたパターンが用いられるものとする。
【００５２】
ソフトウェア操作パネルは、モニタ２２に表示させた場合に、タッチパネル２３を通じて入力操作が容易にすることができる大きさに設計されている。モニタ２２において表示させる場合、予め設計されているサイズよりも小さくならないように展開されて表示される。通常は、テレビ画像領域が十分に確保されているため、テレビ画像領域に合わせて拡大して表示されることになる。
【００５３】
次に、図８に示すフローチャートを参照しながら、ソフトウェア操作パネル表示処理について説明する。
【００５４】
まず、例えばタッチパネル２３に対してユーザのタッチ操作がされると、ソフトウェア操作パネル部３３は、タッチパネル通信部３４により座標データを取得して、ソフトウェア操作パネルの起動指示が入力されたものと判別する（ステップＢ１）。
【００５５】
なお、ソフトウェア操作パネルの起動指示は、データ放送により受信されたデータコンテンツに対する操作が必要な場合、ＢＭＬブラウザ部３１が受信データからこれを判別するようにしても良い。
【００５６】
ソフトウェア操作パネル部３３は、ＢＭＬブラウザ部３１からコンテンツデータを取得して、現在のコンテンツデータに必要なソフトウェア操作パネルを設定する（ステップＢ２）。
【００５７】
ソフトウェア操作パネル部３３は、座標情報管理部３２からテレビ画像領域情報を取得し、この情報が示す領域サイズに合わせてソフトウェア操作パネルをスケーリングする（ステップＢ３）。なお、座標情報管理部３２は、ＢＭＬブラウザ部３１により解析されたテレビ画像領域情報を管理しており、ソフトウェア操作パネル部３３の要求に応じて提供する。
【００５８】
ソフトウェア操作パネル部３３は、スケーリングしたソフトウェア操作パネルを、テレビ画像領域において表示させる（ステップＢ４）。
【００５９】
図９には、テレビ画像領域にスケーリングされたソフトウェア操作パネルが表示された画面例を示している。図９に示すように、ソフトウェア操作パネルがテレビ画像領域において表示されることで、データ領域に表示された全てのデータコンテンツを見ながら、ソフトウェア操作パネルを用いた入力操作をすることができる。
【００６０】
なお、図１０には、ソフトウェア操作パネルを半透明化して表示した例を示している。この場合、ソフトウェア操作パネルが半透明化され、テレビ画像も視認されるようにデータがＶＲＡＭ１７ｃに展開されて表示される。こうし、ソフトウェア操作パネルをテレビ画像領域に表示する場合に半透明化することで、テレビ映像を確認しながらソフトウェア操作パネルを用いた入力操作をすることができる。
【００６１】
図９または図１０の何れの形態で表示するかは、ユーザが所定の操作をすることで切り替えられるようにする。ソフトウェア操作パネル部３３は、ユーザからの指示に応じて表示形態を切り替える。
【００６２】
ここで、ソフトウェア操作パネルに対する入力操作があった場合（ステップＢ７）、タッチパネル通信部３４は、タッチパネル２３からの座標データを入力してソフトウェア操作パネル部３３に渡す。
【００６３】
ソフトウェア操作パネル部３３は、入力された座標データが示す位置と、表示中のソフトウェア操作パネルの各ボタンの位置とを比較することで、ソフトウェア操作パネルに対する操作内容を判別してＢＭＬブラウザ部３１に通知する（ステップＢ８）。なお、タッチパネル通信部３４により入力される座標データは、座標変換プログラムに従う制御処理により座標系が整合するように変換されている。
【００６４】
ところで、図９（図１０）に示す表示例では、テレビ画像領域が十分に大きいサイズであるためソフトウェア操作パネルの全体を表示できたが、テレビ画像領域がソフトウェア操作パネルの元のサイズより小さい場合には、テレビ画像領域と重なる領域が最大となる位置にソフトウェア操作パネルを表示させるものとする。
【００６５】
あるいはテレビ画像領域がない場合にソフトウェア操作パネルの表示が要求された場合には、例えば表示画面の４隅の何れかの位置を基準としてソフトウェア操作パネルを表示させるものとする。
【００６６】
こうした場合、ソフトウェア操作パネルの表示によってデータ領域の一部が隠れてしまうことになる。この場合、ソフトウェア操作パネルに設けられた位置変更ボタンに対する入力操作があった場合（ステップＢ５）、ソフトウェア操作パネル部３３は、ソフトウェア操作パネルの表示位置を、例えば別の４隅の何れかを基準とした位置にソフトウェア操作パネルの表示位置を変更する（ステップＢ６）。
【００６７】
これにより、データコンテンツの内容を確認しながらソフトウェア操作パネルを用いた入力操作をすることができる。
【００６８】
ソフトウェア操作パネルに対する入力操作が終了すると、制御部３０は、ソフトウェア操作パネル部３３によりソフトウェア操作パネルを消去させて、ソフトウェア操作パネル表示処理を終了する。
【００６９】
なお、前述した説明において、テレビ画像領域がソフトウェア操作パネルより小さい場合には、テレビ画像領域と重なる領域が最大となる位置にソフトウェア操作パネルを表示させるとしているが、ソフトウェア操作パネルに設けられるボタン数を変更することによりソフトウェア操作パネルの全体サイズを小さくして表示することもできる。
【００７０】
例えば、ＢＭＬブラウザ部３１は、データ領域に表示される各オブジェクトの属性を、データ放送により受信されたデータ中の記述により解釈している。従って、ソフトウェア操作パネルに設けられているボタンのうち、データコンテンツに対する操作によって使用されるものを判別することができる。
【００７１】
例えば、図１１において、「オンライン」の項目については青色○が付されており、この項目を選択する場合には青ボタンに対する操作が必要であることを表している。同様にして、「かんたん登録」の項目については黄色○が付されており、この項目を選択する場合には黄ボタンに対する操作が必要であることを表している。この場合、ＢＭＬブラウザ部３１は、現在のデータコンテンツにおいて、青ボタンと黄ボタンが使用されることを解釈することができる。
【００７２】
ソフトウェア操作パネル部３３は、ＢＭＬブラウザ部３１による解釈結果を取得して、必要なボタン以外を削除したソフトウェア操作パネルを展開し、図１１に示すようにテレビ画像領域において表示させる。
【００７３】
これにより、ソフトウェア操作パネルを表示することでデータコンテンツを隠すこともなく、またデータコンテンツに対する入力操作を不都合無く実行することができる。
【００７４】
なお、ソフトウェア操作パネルのボタンの変更は、テレビ画像領域がソフトウェア操作パネルより小さい場合だけでなく、常時、実行するようにしても良い。
【００７５】
なお、前述した説明で用いた図１に示す構成は一例であって、受信端末装置１０と表示装置２０とが一体化がされた構成とすることも可能である。この場合、図１において受信端末装置１０と表示装置２０で共通する構成（ＣＰＵ、メモリ、表示コントローラ等）は、何れか一方があれば良い。
【００７６】
また、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００７７】
また、デジタル放送受信装置を実現するコンピュータに実行させることのできる図２に示す機能を実現するための各プログラムを、例えば磁気ディスク（フレキシブルディスク、ハードディスク等）、光ディスク（ＣＤ−ＲＯＭ、ＤＶＤ等）、半導体メモリなどの記録媒体に書き込んで、あるいは通信媒体を通じて提供することができる。これらのプログラムによりコンピュータの動作を制御することで、前述した実施形態における機能を実現することができる。
【図面の簡単な説明】
【００７８】
【図１】本発明の実施形態におけるデジタル放送受信装置の構成を示すブロック図。
【図２】本実施形態における受信端末装置１０により実現される機能構成を示すブロック図。
【図３】モニタ２２においてデータ放送により受信したデータコンテンツ、テレビ放送により受信した映像、及びソフトウェア操作パネルをモニタ２２に表示するためのＶＲＡＭ１７（１７ａ，１７ｂ，１７ｃ）イメージを示す図。
【図４】表示装置２０のモニタ２２とタッチパネル２３の座標系を整合させるための制御処理について説明するためのフローチャート。
【図５】データ放送表示処理について説明するためのフローチャート。
【図６】モニタ２２において表示される画面の一例を示す図。
【図７】ソフトウェア操作パネル部３３によって管理されるソフトウェア操作パネルの一例を示す図。
【図８】ソフトウェア操作パネル表示処理について説明するためのフローチャート。
【図９】テレビ画像領域にスケーリングされたソフトウェア操作パネルが表示された画面例を示す図。
【図１０】ソフトウェア操作パネルを半透明化して表示した例を示す図。
【図１１】ソフトウェア操作パネルのサイズを変更して表示した例を示す図。
【符号の説明】
【００７９】
１０…放送受信端末、１１，２１…インタフェース、１２…アンテナ、１３…チューナ、１４，２５…ＣＰＵ、１５，２６…メモリ、１６，２７…表示コントローラ、１７（１７ａ，１７ｂ，１７ｃ）…ＶＲＡＭ、２０…表示装置、２２…モニタ、２３…タッチパネル、２４…タッチパネルコントローラ、２８…セレクタ、３０…制御部、３１…ＢＭＬブラウザ部、３２…座標情報管理部、３４…タッチパネル通信部、３５…動画表示制御部、３６…チューナ制御部。
【図１】
2006042062.tif 000003
【図２】
2006042062.tif 000004
【図３】
2006042062.tif 000005
【図４】
2006042062.tif 000006
【図５】
2006042062.tif 000007
【図６】
2006042062.tif 000008
【図７】
2006042062.tif 000009
【図８】
2006042062.tif 000010
【図９】
2006042062.tif 000011
【図１０】
2006042062.tif 000012
【図１１】
2006042062.tif 000013